(57)【要約】【課題】ＩＣタグの無線性能を良好な状態に維持してそのＩＣタグを管理対象物に取り付け可能なＩＣタグホルダ及びその取付構造を提供する。【解決手段】本発明のＩＣタグホルダ１０をコンテナー８０に取り付けるには、タグ収容枠１１から後方に突出した１対の可撓片１５，１５をコンテナー８０の貫通孔８３に突入させると共に当接脚部１９をコンテナー８０の側壁８１に突き当てる。すると、１対の可撓片１５，１５の先端部に備えた係止突部１６，１６が貫通孔８３を通過して貫通孔８３の縁部に係止する。このように、本発明のＩＣタグホルダ１０は、ＩＣタグ９０を収容したタグ収容枠１１をコンテナー８０の側壁８１から離した状態にしてコンテナー８０に固定することができるので、ＩＣタグ９０の無線性能を良好な状態に維持することができる。【選択図】図１
2008280060.tif 000002
【特許請求の範囲】
【請求項１】
カード形のＩＣタグを保持可能であると共に、そのＩＣタグにて管理される管理対象物のうち貫通孔を有した板状の壁部に取り付け可能なＩＣタグホルダであって、
前記ＩＣタグを四方から囲むと共に前記ＩＣタグの前面及び後面を前後方向で露出した状態にして収容可能なタグ収容枠と、
前記タグ収容枠の対向辺間に差し渡された連絡壁、又は、前記タグ収容枠から内側に張り出して前記ＩＣタグの縁部のみに対向するタグ係止壁の何れか又はそれらの両方で構成され、前記タグ収容枠内で前記ＩＣタグを前記前後方向で挟持する複数のタグ前後保持部材と、
前記タグ収容枠から後方に向かって突出し、前記管理対象物の前記壁部に突き当て可能な当接脚部と、
前記タグ収容枠から後方に向かって突出し、前記貫通孔に挿入可能な１対の可撓片と、
それら１対の可撓片の先端部に設けられ、前記両可撓片の対向方向への弾性変形を経て前記貫通孔を通過し、前記管理対象物の前記壁部を挟んで前記当接脚部と反対側から前記貫通孔の縁部に係止可能な１対の係止突部とを備えたことを特徴とするＩＣタグホルダ。
【請求項２】
カード形のＩＣタグを保持可能なＩＣタグホルダを、そのＩＣタグにて管理される管理対象物のうち貫通孔を有した板状の壁部に取り付けるためのＩＣタグホルダの取付構造であって、
前記ＩＣタグホルダに、
前記ＩＣタグを四方から囲むと共に前記ＩＣタグの前面及び後面を前後方向で露出した状態にして収容可能なタグ収容枠と、
前記タグ収容枠の対向辺間に差し渡された連絡壁、又は、前記タグ収容枠から内側に張り出して前記ＩＣタグの縁部のみに対向するタグ係止壁の何れか又はそれらの両方で構成され、前記タグ収容枠内で前記ＩＣタグを前記前後方向で挟持する複数のタグ前後保持部材と、
前記タグ収容枠から後方に向かって突出し、前記管理対象物の前記壁部に突き当てられる当接脚部と、
前記タグ収容枠から後方に向かって突出し、前記貫通孔に挿入される１対の可撓片と、
それら１対の可撓片の先端部に設けられ、前記両可撓片の対向方向への弾性変形を経て前記貫通孔を通過し、前記管理対象物の前記壁部を挟んで前記当接脚部と反対側から前記貫通孔の縁部に係止する１対の係止突部とを備え、
前記係止突部が前記貫通孔の縁部に係止した状態で、前記タグ収容枠の一部が前記可撓片により前記管理対象物の前記壁部側に引っ張られて弾性変形した状態に維持されるように構成したことを特徴とするＩＣタグホルダの取付構造。
【請求項３】
カード形のＩＣタグを保持可能なＩＣタグホルダを、そのＩＣタグにて管理される管理対象物のうち貫通孔を有した板状の壁部に取り付けるためのＩＣタグホルダの取付構造であって、
前記ＩＣタグホルダに、
前記ＩＣタグを四方から囲むと共に前記ＩＣタグの前面及び後面を前後方向で露出した状態にして収容可能なタグ収容枠と、
前記タグ収容枠の対向辺間に差し渡された連絡壁、又は、前記タグ収容枠から内側に張り出して前記ＩＣタグの縁部のみに対向するタグ係止壁の何れか又はそれらの両方で構成され、前記タグ収容枠内で前記ＩＣタグを前記前後方向で挟持する複数のタグ前後保持部材と、
前記タグ収容枠から後方に向かって突出し、前記管理対象物の前記壁部に突き当てられる当接脚部と、
前記タグ収容枠から後方に向かって突出し、前記貫通孔に挿入される１対の可撓片と、
それら１対の可撓片の先端部に設けられ、前記両可撓片の対向方向への弾性変形を経て前記貫通孔を通過し、前記管理対象物の前記壁部を挟んで前記当接脚部と反対側から前記貫通孔の縁部に係止する１対の係止突部とを備え、
前記当接脚部を前記管理対象物の前記壁部に当接させかつ前記タグ収容枠を前記管理対象物の前記壁部側に近づけるように撓ませることを条件にして前記係止突部が前記貫通孔を通過し、かつ、前記タグ収容枠が弾性変形していない自然状態に戻って前記係止突部が前記貫通孔の縁部に係止するように構成したことを特徴とするＩＣタグホルダの取付構造。
【請求項４】
前記係止突部が前記貫通孔の縁部に係止した状態で、前記両可撓片の弾発力により、前記両可撓片の側面が前記貫通孔の内面に押し付けられた状態に保持されることを特徴とする請求項２又は３に記載のＩＣタグホルダの取付構造。
【発明の詳細な説明】
【技術分野】
【０００１】
本発明は、カード形のＩＣタグを保持可能であると共に、そのＩＣタグにて管理される管理対象物のうち貫通孔を有した板状の壁部に取り付け可能なＩＣタグホルダ及びその取付構造に関する。
【背景技術】
【０００２】
従来の種のＩＣタグホルダの取付構造として、図１４（Ｂ）に示すように、コンテナー１の側壁２のうち四方をリブ３で囲まれたリブ包囲部屋１Ｚの内側に枠形状のＩＣタグホルダ４を配置し、そのリブ包囲部屋１Ｚの下辺のリブ３から上方に１対のホルダ固定突片５，５とコンテナー１の側壁２との間でＩＣタグホルダ４の下辺部分を挟み、コンテナー１の側壁２から突出した係止突起６（図１４（Ａ）参照）をＩＣタグホルダ４の下辺部分に係止したものが知られている。また、このＩＣタグホルダ４では、カード形のＩＣタグ８をコンテナー１の側壁２との間に挟んで保持することができる（例えば、特許文献１参照）。
【特許文献１】実開平６−２２２４４号公報（第１図、第４図）
【発明の開示】
【発明が解決しようとする課題】
【０００３】
しかしながら、上記した従来のＩＣタグホルダ４の取付構造では、コンテナー１の側壁２がＩＣタグ８の後面全体に密着してＩＣタグ８の無線性能を低下させていた。また、コンテナー１のうちホルダ固定突片５，５を有したリブ３とＩＣタグホルダ４の下面全体との間に水やゴミが溜まり易く、それら水やゴミがＩＣタグ８の無線性能低下の原因になり得た。
【０００４】
本発明は、上記事情に鑑みてなされたもので、ＩＣタグの無線性能を良好な状態に維持してそのＩＣタグを管理対象物に取り付け可能なＩＣタグホルダ及びその取付構造の提供を目的とする。
【課題を解決するための手段】
【０００５】
上記目的を達成するためになされた請求項１の発明に係るＩＣタグホルダは、カード形のＩＣタグを保持可能であると共に、そのＩＣタグにて管理される管理対象物のうち貫通孔を有した板状の壁部に取り付け可能なＩＣタグホルダであって、ＩＣタグを四方から囲むと共にＩＣタグの前面及び後面を前後方向で露出した状態にして収容可能なタグ収容枠と、タグ収容枠の対向辺間に差し渡された連絡壁、又は、タグ収容枠から内側に張り出してＩＣタグの縁部のみに対向するタグ係止壁の何れか又はそれらの両方で構成され、タグ収容枠内でＩＣタグを前後方向で挟持する複数のタグ前後保持部材と、タグ収容枠から後方に向かって突出し、管理対象物の壁部に突き当て可能な当接脚部と、タグ収容枠から後方に向かって突出し、貫通孔に挿入可能な１対の可撓片と、それら１対の可撓片の先端部に設けられ、両可撓片の対向方向への弾性変形を経て貫通孔を通過し、管理対象物の壁部を挟んで当接脚部と反対側から貫通孔の縁部に係止可能な１対の係止突部とを備えたところに特徴を有する。
【０００６】
請求項２の発明に係るＩＣタグホルダの取付構造は、カード形のＩＣタグを保持可能なＩＣタグホルダを、そのＩＣタグにて管理される管理対象物のうち貫通孔を有した板状の壁部に取り付けるためのＩＣタグホルダの取付構造であって、ＩＣタグホルダに、ＩＣタグを四方から囲むと共にＩＣタグの前面及び後面を前後方向で露出した状態にして収容可能なタグ収容枠と、タグ収容枠の対向辺間に差し渡された連絡壁、又は、タグ収容枠から内側に張り出してＩＣタグの縁部のみに対向するタグ係止壁の何れか又はそれらの両方で構成され、タグ収容枠内でＩＣタグを前後方向で挟持する複数のタグ前後保持部材と、タグ収容枠から後方に向かって突出し、管理対象物の壁部に突き当てられる当接脚部と、タグ収容枠から後方に向かって突出し、貫通孔に挿入される１対の可撓片と、それら１対の可撓片の先端部に設けられ、両可撓片の対向方向への弾性変形を経て貫通孔を通過し、管理対象物の壁部を挟んで当接脚部と反対側から貫通孔の縁部に係止する１対の係止突部とを備え、係止突部が貫通孔の縁部に係止した状態で、タグ収容枠の一部が可撓片により管理対象物の壁部側に引っ張られて弾性変形した状態に維持されるように構成したところに特徴を有する。
【０００７】
請求項３の発明に係るＩＣタグホルダの取付構造は、カード形のＩＣタグを保持可能なＩＣタグホルダを、そのＩＣタグにて管理される管理対象物のうち貫通孔を有した板状の壁部に取り付けるためのＩＣタグホルダの取付構造であって、ＩＣタグホルダに、ＩＣタグを四方から囲むと共にＩＣタグの前面及び後面を前後方向で露出した状態にして収容可能なタグ収容枠と、タグ収容枠の対向辺間に差し渡された連絡壁、又は、タグ収容枠から内側に張り出してＩＣタグの縁部のみに対向するタグ係止壁の何れか又はそれらの両方で構成され、タグ収容枠内でＩＣタグを前後方向で挟持する複数のタグ前後保持部材と、タグ収容枠から後方に向かって突出し、管理対象物の壁部に突き当てられる当接脚部と、タグ収容枠から後方に向かって突出し、貫通孔に挿入される１対の可撓片と、それら１対の可撓片の先端部に設けられ、両可撓片の対向方向への弾性変形を経て貫通孔を通過し、管理対象物の壁部を挟んで当接脚部と反対側から貫通孔の縁部に係止する１対の係止突部とを備え、当接脚部を管理対象物の壁部に当接させかつタグ収容枠を管理対象物の壁部側に近づけるように撓ませることを条件にして係止突部が貫通孔を通過し、かつ、タグ収容枠が弾性変形していない自然状態に戻って係止突部が貫通孔の縁部に係止するように構成したところに特徴を有する。
【０００８】
請求項４の発明は、請求項２又は３に記載のＩＣタグホルダの取付構造において、係止突部が貫通孔の縁部に係止した状態で、両可撓片の弾発力により、両可撓片の側面が貫通孔の内面に押し付けられた状態に保持されるところに特徴を有する。
【発明の効果】
【０００９】
請求項１〜３の発明に係るＩＣタグホルダを管理対象物に取り付けるには、ＩＣタグホルダのうちタグ収容枠から後方に突出した１対の可撓片を管理対象物の壁部に形成された貫通孔に挿入すると共に、同じくタグ収容枠から後方に突出した当接脚部を管理対象物の壁部に突き当てる。すると、１対の可撓片の先端部に設けられた係止突部が、それら可撓片の弾性変形を経て貫通孔を通過し、管理対象物の壁部を挟んで当接脚部と反対側から貫通孔の縁部に係止する。このように本発明のＩＣタグホルダでは、当接脚部及び係止突部を管理対象物の壁部に当接させ、ＩＣタグを収容したタグ収容枠を管理対象物の壁部から離すことができるので、従来のものに比べ、ＩＣタグホルダと管理対象物の壁部との間に水やゴミを溜まり難くすることができ、ＩＣタグの無線性能を良好な状態に維持することができる。また、本発明のＩＣタグホルダでは、タグ収容枠内に収容されたＩＣタグが、そのタグ収容枠の対向辺間に差し渡された連絡壁と、タグ収容枠から内側に張り出してＩＣタグの縁部のみに対向するタグ係止壁により保持されるので、ＩＣタグの前面及び後面の大部分をタグ収容枠の前後方向に露出させることができる。これにより、従来のように管理対象物の壁部がＩＣタグの後面全体に密着するものに比べて、ＩＣタグの無線性能を良好な状態に維持することができる。
【００１０】
また、請求項２の発明に係るＩＣタグホルダの取付構造では、係止突部が貫通孔の縁部に係止してタグ収容枠が弾性変形した状態に維持されるので、ＩＣタグホルダの管理対象物に対するガタつきを防ぐことができる。
【００１１】
また、請求項３の発明に係るＩＣタグホルダの取付構造では、当接脚部を管理対象物の壁部に当接させかつタグ収容枠を管理対象物の壁部側に近づけるように撓ませることを条件にして係止突部が貫通孔を通過するので、タグ収容枠が自然状態に戻って係止突部が貫通孔の縁部に係止したときには、それら係止突部と貫通孔の縁部との間のクリアランスが小さくなる。これにより、ＩＣタグホルダの管理対象物に対するガタつきを防ぐことができる。
【００１２】
請求項４の発明に係るＩＣタグホルダの取付構造では、係止突部が貫通孔の縁部に係止した状態で、１対の可撓片の弾発力により、それら１対の可撓片が貫通孔の内面に押し付けられた状態に保持されることで、ＩＣタグホルダの管理対象物に対するガタつきを抑えることができる。
【発明を実施するための最良の形態】
【００１３】
［第１実施形態］
以下、本発明の一実施形態を図１〜図６に基づいて説明する。本実施形態のＩＣタグ９０は、図１に示されており、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。その無線の周波数帯域は、例えば、８６０〜９６０［Ｍｈｚ］のＵＨＦ帯域が使用されている。また、このＩＣタグ９０は、横長長方形の回路基盤９１に、例えば、コイルアンテナ９２とＩＣチップ９３と実装して樹脂フィルム９４でラミネートしてなり、全体が横長のカード形状になっている。
【００１４】
図１には、上記したＩＣタグ９０にて管理される管理対象物の一例としてのコンテナー８０の一部が示されている。このコンテナー８０は、上面開放の箱形になっており、開口面積が上方に向かうに従って大きくなるように側壁８１が傾斜している（図４（Ａ）参照）。また、側壁８１の上端部及び上下方向の中間部から水平方向側方に向けて環状リブ８２Ａ，８２Ａが張り出され、それら環状リブ８２Ａ，８２Ａの間に複数の縦リブ８２Ｂが差し渡されている。そして、側壁８１のうち四方を環状リブ８２Ａと縦リブ８２Ｂとによって囲まれたリブ包囲部屋８０Ｚの奥部に、四角形の複数の貫通孔８３が横並びに形成されている。なお、図４（Ａ）に示すように環状リブ８２Ａ及び縦リブ８２Ｂの先端面は面一でかつ鉛直方向と平行になっている。
【００１５】
図１に示すように、本実施形態のＩＣタグホルダ１０は、ＩＣタグ９０を収容可能な横長矩形のタグ収容枠１１を備えている。また、図３（Ａ）に示すように、タグ収容枠１１は、コンテナー８０のリブ包囲部屋８０Ｚ内に収容可能な大きさになっている。以下、ＩＣタグ９０及びタグ収容枠１１において、長手方向でもある横方向を「横方向Ｘ」、短手方向でもある縦方向を「縦方向Ｙ」、厚さ方向でもある前後方向を「前後方向Ｚ」と呼ぶこととし、ＩＣタグホルダ１０の構造の詳細について説明する。
【００１６】
図１に示すように、タグ収容枠１１のうち１対の長辺を構成する長辺構成壁１１Ｌ，１１Ｌは、帯板状になっており、それらの板厚方向が長辺構成壁１１Ｌ，１１Ｌ同士の互いの対向方向（縦方向Ｙ）を向いている。これと同様に、タグ収容枠１１のうち１対の短辺を構成する短辺構成壁１１Ｓ，１１Ｓの板厚方向は、短辺構成壁１１Ｓ，１１Ｓ同士の対向方向（横方向Ｘ）を向いている。そして、タグ収容枠１１の４つの角部において長辺構成壁１１Ｌと短辺構成壁１１Ｓとが直交してなるＬ字形の壁部を後方に延長して４つの本発明に係る当接脚部１９が形成されている。
【００１７】
図２（Ｂ）に示すように、各当接脚部１９の先端面１９ＡはＬ字形の平坦面になっている。そして、全ての当接脚部１９の先端面１９Ａが面一になっている。また、図４（Ａ）に示すように、当接脚部１９の先端面１９Ａは、タグ収容枠１１の前面に対して傾斜している。より詳細には、当接脚部１９の先端面１９Ａは、下方に向かうに従ってタグ収容枠１１の前面から離れるように傾斜しており、その傾斜角は、コンテナー８０の側壁８１の鉛直方向に対する傾斜角と略同一になっている。そして、図４（Ｂ）に示すように、当接脚部１９側からＩＣタグホルダ１０をリブ包囲部屋８０Ｚ内に収容して先端面１９Ａを側壁８１に当接させると、タグ収容枠１１の前面と環状リブ８２Ａ及び縦リブ８２Ｂの先端面とが平行になる。
【００１８】
図１に示すように、タグ収容枠１１のうち１対の長辺構成壁１１Ｌ，１１Ｌの間には、連絡壁１４，１４（本発明の「タグ前後保持部材」に相当する）が差し渡されている。それら連絡壁１４，１４は、上下方向に延びた帯板状になっており、その板厚方向がタグ収容枠１１の前後方向Ｚを向いている。また、連絡壁１４，１４は、タグ収容枠１１の内面における後端縁に配置されて、タグ収容枠１１内のＩＣタグ９０がタグ収容枠１１の後方に離脱することを防いでいる。
【００１９】
下側の長辺構成壁１１Ｌと両短辺構成壁１１Ｓ，１１Ｓとが交差する角部には、下端側タグ係止壁１２，１２（本発明の「タグ前後保持部材」に相当する）が形成されている。各下端側タグ係止壁１２は、タグ収容枠１１の内面における前端縁から内側に張り出して短辺構成壁１１Ｓと長辺構成壁１１Ｌとの間を接続し、ＩＣタグ９０の縁部のみに対向するようになっている。
【００２０】
上側の長辺構成壁１１Ｌのうち長手方向の中央には、上端側タグ係止壁１３（本発明の「タグ前後保持部材」に相当する）が形成されている。上端側タグ係止壁１３は、長辺構成壁１１Ｌの内面における前端縁から内側に張り出し、ＩＣタグ９０の縁部のみに対向するようになっている。また、上端側タグ係止壁１３のうち連絡壁１４と反対側を向いた前面は、先端に向かうに従って後面側に接近するように傾斜したタグ案内面１３Ａ（図４（Ａ）参照）になっている。
【００２１】
図２（Ｂ）に示すように両連絡壁１４，１４の後面からは後方に向けて可撓片１５，１５が突出形成されている。それら可撓片１５，１５は、タグ収容枠１１の横方向Ｘで対向しかつその対向方向で弾性変形可能になっている。また、図４（Ａ）に示すように、各可撓片１５は、当接脚部１９の先端面１９Ａより後方に突出している。そして、図４（Ｂ）に示すように、当接脚部１９の先端面１９Ａをコンテナー８０の側壁８１の外面に当接させた状態で、可撓片１５，１５の先端部がコンテナー８０における１対の貫通孔８３，８３を貫通する。
【００２２】
図５に示すように両可撓片１５，１５のうち互いに反対方向を向いた外側面１５Ｓ，１５Ｓ同士の間隔Ｌ１は、コンテナー８０における複数の貫通孔８３のうち可撓片１５，１５がそれぞれ挿入される１対の貫通孔８３，８３の間で最も離れた内側面８３Ｓ，８３Ｓ同士の間隔Ｌ２（図１参照）と略同一になっている。また、図４（Ａ）に示すように、各可撓片１５の縦方向Ｙの寸法は、各貫通孔８３の縦方向Ｙの開口幅と略同一になっている。
【００２３】
なお、図２（Ｂ）に示すように、可撓片１５，１５のうち互いの対向面と連絡壁１４との間は、補強リブ１５Ｌによって接続されている。また、各可撓片１５の先端部のうち縦方向Ｙの両端部には、後方に向かうに従って互いに接近するように傾斜した上下テーパー面１６Ｃ，１６Ｃが形成されている。
【００２４】
図５に示すように両可撓片１５，１５の先端部には、それら両可撓片１５，１５から相反する方向に向かって係止突部１６，１６が突出形成されている。各係止突部１６のうちタグ収容枠１１側には係止面１６Ｂが係止され、タグ収容枠１１と反対側には係止ガイド面１６Ａが形成されている。係止面１６Ｂは、当接脚部１９の先端面１９Ａと平行になっており、係止ガイド面１６Ａは、係止突部１６の先端に向かうに従って係止面１６Ｂ側に接近するように傾斜している。また、図６（Ｂ）に示すように、係止面１６Ｂと当接脚部１９の先端面１９Ａとの間隔ｔ１は、コンテナー８０の側壁８１の板厚ｔ２より僅かに大きくなっている。そして、当接脚部１９の先端面１９Ａをコンテナー８０の側壁８１の外面に当接させた状態で、係止突部１６の係止面１６Ｂが側壁８１の内面における所定の１対の貫通孔８３，８３の縁部に係止する。
【００２５】
本実施形態の構成に関する説明は以上である。次に、本実施形態の作用効果について説明する。図１に示したＩＣタグ９０をＩＣタグホルダ１０のタグ収容枠１１に収容するには、タグ収容枠１１の斜め上方前側からＩＣタグ９０を傾けてその下端部を下端側タグ係止壁１２，１２と連絡壁１４，１４との間に差し込む。そして、ＩＣタグ９０の後面側上縁部をタグ案内面１３Ａに押し付ける。すると、上側の長辺構成壁１１Ｌが上方に撓み、ＩＣタグ９０がタグ収容枠１１内に収まったところで、長辺構成壁１１Ｌが復元して上端側タグ係止壁１３がＩＣタグ９０の上縁部に前側から係止し、図２（Ａ）及び図２（Ｂ）に示すように、ＩＣタグ９０がタグ収容枠１１内に収容された状態に保持される。
【００２６】
ＩＣタグ９０を保持したＩＣタグホルダ１０をコンテナー８０に取り付けるには、可撓片１５，１５側からＩＣタグホルダ１０をリブ包囲部屋８０Ｚ内に挿入する。すると、両可撓片１５，１５の先端部の係止突部１６，１６における係止ガイド面１６Ａ，１６Ａが、リブ包囲部屋８０Ｚにおける１対の貫通孔８３，８３の縁部に当接する。この状態でＩＣタグホルダ１０を押し込むと、各係止ガイド面１６Ａと各貫通孔８３の開口縁とが摺接して、図６（Ａ）に示すように、可撓片１５，１５が互いに接近するように弾性変形する。そして、それら可撓片１５，１５の先端部の係止突部１６，１６が貫通孔８３を通過したところで、可撓片１５，１５が弾性復元して各係止突部１６の係止面１６Ｂが貫通孔８３の縁部にコンテナー８０の内側から係止すると共に、当接脚部１９の先端面１９Ａがコンテナー８０の外面に当接する。
【００２７】
詳細には、係止突部１６が貫通孔８３を通過する過程で、可撓片１５が弾性変形すると、その可撓片１５の先端の係止突部１６は貫通孔８３への挿入方向に対し、若干後退する。しかしながら、本実施形態では、図６（Ｂ）に示すように、当接脚部１９の先端面１９Ａと係止突部１６の係止面１６Ｂとの間隔ｔ１が、コンテナー８０の側壁８１の板厚ｔ２より僅かに大きくなっているので、係止突部１６が若干後退しても、当接脚部１９の先端面１９Ａがコンテナー８０の側壁８１の外面に当接する前に、係止突部１６が貫通孔８３を完全に通過する。そして、当接脚部１９の先端面１９Ａが側壁８１の外面に当接すると共に、可撓片１５が弾性復元して係止突部１６の係止面１６Ｂが側壁８１の内面側から貫通孔８３の開口縁に係止し、これによりＩＣタグホルダ１０のコンテナー８０に対する取り付けが完了する（図３（Ａ）及び図３（Ｂ）参照）。
【００２８】
ＩＣタグホルダ１０がコンテナー８０に取り付けられると、ＩＣタグホルダ１０のうち両可撓片１５，１５における縦方向Ｙの両端面と貫通孔８３の内面とにより、ＩＣタグホルダ１０がコンテナー８０に対して縦方向Ｙで位置決めされ、図４（Ｂ）に示すように、リブ包囲部屋８０Ｚにおける上下の環状リブ８２Ａ，８２ＡとＩＣタグホルダ１０のタグ収容枠１１と間に隙間が確保される。また、図５に示すように、ＩＣタグホルダ１０のうち両可撓片１５，１５における互いに反対方向を向いた外側面１５Ｓ，１５Ｓと、コンテナー８０のうち１対の貫通孔８３，８３における最も離れた内側面８３Ｓ，８３Ｓとにより、ＩＣタグホルダ１０がコンテナー８０に対して横方向Ｘで位置決めされ、リブ包囲部屋８０Ｚにおける左右の縦リブ８２Ｂ，８２ＢとＩＣタグホルダ１０のタグ収容枠１１と間に隙間が確保される。さらに、当接脚部１９と側壁８１との当接により、ＩＣタグホルダ１０のタグ収容枠１１とコンテナー８０の側壁８１との間に空間が確保される。
【００２９】
このように本実施形態のＩＣタグホルダ１０では、当接脚部１９及び係止突部１６をコンテナー８０の側壁８１に当接させ、ＩＣタグ９０を収容したタグ収容枠１１をコンテナー８０の側壁８１、環状リブ８２Ａ及び縦リブ８２Ｂから離すことができるので、従来のものに比べ、ＩＣタグホルダ１０とコンテナー８０との間に水やゴミを溜まり難くすることができ、ＩＣタグ９０の無線性能を良好な状態に維持することができる。また、本実施形態のＩＣタグホルダ１０では、タグ収容枠１１内に収容されたＩＣタグ９０が、そのタグ収容枠１１の対向辺間に差し渡された連絡壁１４，１４と、タグ収容枠１１から内側に張り出してＩＣタグ９０の縁部のみに対向する下端側タグ係止壁１２及び上端側タグ係止壁１３により保持されるので、ＩＣタグ９０の前面及び後面の大部分をタグ収容枠１１の前後方向に露出させることができる。これにより、従来のようにコンテナーの壁部がＩＣタグの後面全体に密着するものに比べて、ＩＣタグ９０の無線性能を良好な状態に維持することができる。
【００３０】
［第２実施形態］
本実施形態は、図７及び図８に示されている。前記第１実施形態のＩＣタグホルダ１０では、当接脚部１９の先端面１９Ａと係止突部１６の係止面１６Ｂとの間隔ｔ１が、コンテナー８０の側壁８１の板厚ｔ２より僅かに大きくなっていたが（図６（Ｂ）参照）、本実施形態のＩＣタグホルダ１０Ｖでは、図８（Ｂ）に示すように、それら当接脚部１９の先端面１９Ａと係止面１６Ｂとの間隔ｔ１が、コンテナー８０の側壁８１の板厚ｔ２と略同一になっている点が異なる。その他の構成は、第１実施形態と同じである。
【００３１】
上記した構成により本実施形態のＩＣタグホルダ１０Ｖでは、可撓片１５をコンテナー８０の貫通孔８３に挿入する際に、図８（Ａ）に示すように可撓片１５が撓むことで係止突部１６が、挿入方向に対して若干後退すると、係止突部１６が貫通孔８３を通過する前に、当接脚部１９の先端面１９Ａがコンテナー８０の側壁８１に当接する。そこで、タグ収容枠１１をコンテナー８０の側壁８１に近づけるように撓ませると係止突部１６が貫通孔８３を通過する。そして、図７及び図８（Ｂ）に示すように、可撓片１５が自然状態に戻り、係止突部１６の係止面１６Ｂが貫通孔８３の縁部に係止する。この状態で、タグ収容枠１１が自然状態に戻り、係止突部１６が係止突部１６と貫通孔８３の縁部との間のクリアランスが小さくなる。
【００３２】
このように、本実施形態のＩＣタグホルダ１０Ｖでは、当接脚部１９をコンテナー８０の側壁８１に当接させかつタグ収容枠１１をコンテナー８０の側壁８１側に近づけるように撓ませることを条件にして係止突部１６が貫通孔８３を通過するので、タグ収容枠１１が自然状態に戻って係止突部１６が貫通孔８３の縁部に係止したときには、それら係止突部１６と貫通孔８３の縁部との間のクリアランスが小さくなる。これにより、ＩＣタグホルダ１０Ｖのコンテナー８０に対するガタつきを防ぐことができる。
【００３３】
［第３実施形態］
本実施形態のＩＣタグホルダ１０Ｗは、図９に示されており、当接脚部１９の先端面１９Ａと係止面１６Ｂとの間隔ｔ１が、コンテナー８０の側壁８１の板厚ｔ２より若干小さくなっている点のみが第２実施形態と異なる。
【００３４】
上記した構成により、本実施形態のＩＣタグホルダ１０Ｗでは、当接脚部１９をコンテナー８０の側壁８１に当接させかつタグ収容枠１１をコンテナー８０の側壁８１に近づけるように撓ませることを条件にして係止突部１６が貫通孔８３を通過する。そして、係止突部１６が貫通孔８３の縁部に係止した状態で、タグ収容枠１１の一部が可撓片１５，１５によりコンテナー８０の側壁８１側に引っ張られて弾性変形した状態に維持される。これにより、ＩＣタグホルダ１０Ｗのコンテナー８０に対するガタつきが抑えられる。
【００３５】
［第４実施形態］
本実施形態のＩＣタグホルダ１０Ｘは、図１０に示されており、可撓片１５，１５における互いに反対方向を向いた外側面１５Ｓ，１５Ｓ同士の間隔Ｌ１が、それら可撓片１５，１５が挿入される１対の貫通孔８３，８３の間で最も離れた内側面８３Ｓ，８３Ｓ同士の間隔Ｌ２（図１参照）より若干小さくなっている点のみが第１実施形態と異なる。
【００３６】
この構成により本実施形態のＩＣタグホルダ１０Ｘでは、係止突部１６が貫通孔８３の縁部に係止した状態で、１対の可撓片１５，１５の弾発力により、それら１対の可撓片１５，１５が貫通孔８３の内面に押し付けられた状態に保持され、コンテナー８０に対するガタつきを抑えることができる。
【００３７】
［第５実施形態］
本実施形態のＩＣタグホルダ１０Ｙは、図１１に示されており、第３と第４の実施形態の構成を備えている。即ち、本実施形態のＩＣタグホルダ１０Ｙでは、可撓片１５，１５における互いに反対方向を向いた外側面１５Ｓ，１５Ｓ同士の間隔Ｌ１が、それら可撓片１５，１５が挿入される１対の貫通孔８３，８３の間で最も離れた内側面８３Ｓ，８３Ｓ同士の間隔Ｌ２（図１参照）より若干小さくなっており、かつ、当接脚部１９の先端面１９Ａと係止面１６Ｂとの間隔が、コンテナー８０の側壁８１の板厚より若干小さくなっている点が異なる。これにより、ＩＣタグホルダ１０Ｙがコンテナー８０に取り付けられた状態では、タグ収容枠１１及び可撓片１５，１５が共に弾性変形した状態に維持され、コンテナー８０に対するガタつきが抑えられる。
【００３８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３９】
（１）前記第１〜第５の実施形態では、係止突部１６，１６が可撓片１５，１５の先端部から相反する方向に突出していたが、図１２に示すように、可撓片１５，１５の先端部から互いに接近する方向に係止突部１６，１６を突出させてもよい。
【００４０】
（２）前記第１〜第５の実施形態では、複数の当接脚部１９が１対の可撓片１５，１５を間に挟んだタグ収容枠１１の両端部に配置されていたが、図１３に示すように、１対の可撓片１５，１５をタグ収容枠１１の両端部に配置し、それら可撓片１５，１５の間に当接脚部１９Ｖを設けてもよい。
【００４１】
（３）また、前記第１〜第５の実施形態では当接脚部１９が複数備えられていたが、例えば、図１３に示すように、１対の可撓片１５，１５の間に１つの当接脚部１９Ｖを設けた構成にしてもよい。
【００４２】
（４）前記第１実施形態ではＩＣタグホルダ１０が管理対象物としてのコンテナー８０に取り付けられる場合を例示したが、本発明に係るＩＣタグホルダが取り付けられる管理対象物はコンテナーに限定されるものではなく、例えば、パレットや搬送台車等であってもよい。
【図面の簡単な説明】
【００４３】
【図１】本発明の第１実施形態に係るＩＣタグ及びＩＣタグホルダの斜視図
【図２】ＩＣタグを保持した状態のＩＣタグホルダの斜視図
【図３】ＩＣタグホルダをコンテナーに取り付けた状態の斜視図
【図４】ＩＣタグホルダとコンテナーの側断面図
【図５】ＩＣタグホルダとコンテナーの平断面図
【図６】ＩＣタグホルダとコンテナーの一部を拡大した平断面図
【図７】第２実施形態のＩＣタグホルダとコンテナーの平断面図
【図８】ＩＣタグホルダとコンテナーの一部を拡大した平断面図
【図９】第３実施形態のＩＣタグホルダとコンテナーの平断面図
【図１０】第４実施形態のＩＣタグホルダとコンテナーの平断面図
【図１１】第５実施形態のＩＣタグホルダとコンテナーの平断面図
【図１２】変形例に係るＩＣタグホルダとコンテナーの平断面図
【図１３】変形例に係るＩＣタグホルダとコンテナーの平断面図
【図１４】従来のＩＣタグホルダの斜視図
【符号の説明】
【００４４】
１０，１０Ｖ〜１０Ｙ    タグホルダ
１１    タグ収容枠
１２    下端側タグ係止壁（タグ前後保持部材）
１３    上端側タグ係止壁（タグ前後保持部材）
１４    連絡壁（タグ前後保持部材）
１５    可撓片
１６    係止突部
１６Ａ    係止ガイド面
１６Ｂ    係止面
１９    当接脚部
１９Ａ    先端面
８０    コンテナー（管理対象物）
８０Ｚ    リブ包囲部屋
８１    側壁（壁部）
８３    各貫通孔
９０    ＩＣタグ
【図２】
2008280060.tif 000003
【図４】
2008280060.tif 000004
【図５】
2008280060.tif 000005
【図６】
2008280060.tif 000006
【図７】
2008280060.tif 000007
【図８】
2008280060.tif 000008
【図９】
2008280060.tif 000009
【図１０】
2008280060.tif 000010
【図１１】
2008280060.tif 000011
【図１２】
2008280060.tif 000012
【図１３】
2008280060.tif 000013
【図１４】
2008280060.tif 000014
【図１】
2008280060.tif 000015
【図３】
2008280060.tif 000016